(57)【要約】【課題】ポインタが指定する位置を表示画面の中心位置にスクロールさせる場合にも操作者に違和感を与えることがない操作入力装置を提供すること。【解決手段】操作部３の状態に応じて表示画面に表示させたポインタＰを移動させる操作入力装置Ｅ１は、表示画面上のポインタＰで指定された位置が決定入力されたことを検出する決定入力検出手段１１と、決定入力検出手段１１が検出した位置を表示画面の中心位置にスクロールさせるスクロール手段１２と、スクロール手段１２が検出位置をスクロールさせる場合にポインタＰを表示画面から一時的に消去するポインタ消去手段１３と、を備える。【選択図】図３
2008217470.tif 000002
【特許請求の範囲】
【請求項１】
操作部の状態に応じて画面に表示させたポインタを移動させる操作入力装置であって、
前記ポインタで指定された位置が決定入力されたことを検出する決定入力検出手段と、
前記決定入力検出手段が検出した位置を画面の所定位置にスクロールさせるスクロール手段と、
前記スクロール手段がスクロールさせる場合に前記ポインタを画面から消去するポインタ消去手段と、
を備えることを特徴とする操作入力装置。
【請求項２】
操作部の動きに応じて画面に表示させたポインタを移動させる操作入力装置であって、
前記ポインタで指定された位置が決定入力されたことを検出する決定入力検出手段と、
前記決定入力検出手段が検出した位置を画面の所定位置にスクロールさせるスクロール手段と、
前記スクロール手段によるスクロールに合わせて前記ポインタを前記所定位置に移動させるポインタ移動手段と、
を備えることを特徴とする操作入力装置。
【請求項３】
前記ポインタ移動手段が前記ポインタを移動させる場合に前記操作部を中立状態に戻す操作部駆動手段を更に備える、
ことを特徴とする請求項２に記載の操作入力装置。
【請求項４】
前記操作部の動きは、一定点を中心とした平行移動、又は、回転移動である、
ことを特徴とする請求項１乃至３の何れか一項に記載の操作入力装置。
【発明の詳細な説明】
【技術分野】
【０００１】
本発明は、操作部の動きに応じて表示画面に表示させたポインタを移動させる操作入力装置に関し、特に、ポインタが指定する位置で決定入力を実行し、その決定位置を表示画面の中心位置にスクロールさせる場合に、ポインタの表示位置とポインタにより決定入力された位置とを分離させてしまう表示による違和感を解消させる操作入力装置に関する。
【背景技術】
【０００２】
従来、入力装置の操作に応じて地図画像上に表示させたポインタを表示画面内で自由に移動させながら、そのポインタが指定する位置において決定入力できるようにするナビゲーション装置が知られている（例えば、特許文献１参照。）
また、このナビゲーション装置は、入力装置の操作により地図の縮尺を変更する場合、ポインタが指定する位置を画面の中心にスクロールさせる。
【０００３】
これにより、このナビゲーション装置は、決定入力しようとする位置が画面に表示されている場合には、地図画像をスクロールさせることなくポインタをその位置まで移動させてから決定入力ができるようにし、また、ポインタが指定する位置を中心とした地図の縮尺を簡易かつ迅速に実行することができる。
【特許文献１】特開２０００−１８０１８８号公報
【発明の開示】
【発明が解決しようとする課題】
【０００４】
しかしながら、特許文献１に記載のナビゲーション装置は、地図の縮尺を変更するためにポインタが指定する位置を画面の中心にスクロールさせた場合であってもポインタの表示位置を移動させることはないので、ポインタの表示位置とポインタが指定した位置とを分離させてしまい操作者に違和感を与えてしまうという問題がある。以下、図１及び図２を用いて操作者に違和感を与えてしまう状況について説明する。
【０００５】
図１は、ナビゲーション装置が表示する画面の一例を示す図であり、図２は、操作者に違和感を与えてしまう状況を説明するための図である。なお、図２は、図１の地図画像を簡略化させた表示とする。
【０００６】
図２（Ａ）は、ポインタＰが「港区役所」を指示し、現在地アイコンＶ（ＧＰＳ（Global  Positioning  System）によって取得した車両の現在位置を示すアイコンである。）が「大門駅」付近に存在する状態を示し、図２（Ｂ）は、ポインタＰで「港区役所」を指示しながら地図の縮尺を変更するため、「港区役所」の位置が画面の中心に来るよう地図画像を右下にスクロールさせている状態を示す。また、図２（Ｃ）は、地図画像のスクロールが完了し、「港区役所」の位置が画面の中心に来た状態を示す。
【０００７】
このように、ナビゲーション装置は、地図画像をスクロールさせている間であってもポインタＰを移動させることなく同じ位置に表示し続け、ポインタＰの表示位置とポインタＰが指定した位置（「港区役所」の位置）とを分離させてしまい、操作者に違和感を与えてしまうこととなる。
【０００８】
上述の点に鑑み、本発明は、ポインタが指定する位置を表示画面の所定位置にスクロールさせる場合であっても操作者に違和感を与えることがない操作入力装置を提供することを目的とする。
【課題を解決するための手段】
【０００９】
上述の目的を達成するために、第一の発明に係る操作入力装置は、操作部の状態に応じて画面に表示させたポインタを移動させる操作入力装置であって、前記ポインタで指定された位置が決定入力されたことを検出する決定入力検出手段と、前記決定入力検出手段が検出した位置を画面の所定位置にスクロールさせるスクロール手段と、前記スクロール手段がスクロールさせる場合に前記ポインタを画面から消去するポインタ消去手段と、を備えることを特徴とする。
【００１０】
また、第二の発明に係る操作入力装置は、操作部の動きに応じて画面に表示させたポインタを移動させる操作入力装置であって、前記ポインタで指定された位置が決定入力されたことを検出する決定入力検出手段と、前記決定入力検出手段が検出した位置を画面の所定位置にスクロールさせるスクロール手段と、前記スクロール手段によるスクロールに合わせて前記ポインタを前記所定位置に移動させるポインタ移動手段と、を備えることを特徴とする。
【００１１】
また、第三の発明は、第二の発明に係る操作入力装置であって、前記ポインタ移動手段による前記ポインタの移動に合わせて前記操作部を中立状態に戻す操作部駆動手段を更に備えることを特徴とする。
【００１２】
また、第四の発明は、第一乃至第三の何れかの発明に係る操作入力装置であって、前記操作部の動きは、一定点を中心とした平行移動、又は、回転移動であることを特徴とする。
【発明の効果】
【００１３】
上述の手段により、本発明は、ポインタが指定する位置を表示画面の所定位置にスクロールさせる場合にも操作者に違和感を与えることがない操作入力装置を提供することができる。
【発明を実施するための最良の形態】
【００１４】
以下、図面を参照しつつ、本発明を実施するための最良の形態の説明を行う。
【実施例１】
【００１５】
図３は、本発明に係る操作入力装置の構成例を示すブロック図であり、操作入力装置Ｅ１は、制御部１、記憶部２、操作部３及び表示部４から構成され、カーナビゲーションシステムにおける地図画像の閲覧や目的地入力に利用される。
【００１６】
制御部１は、ＣＰＵ（Central  Processing  Unit）、ＲＡＭ(Random  Access  Memory)、ＲＯＭ（Read  Only  Memory）等を備えたコンピュータであって、例えば、ポインタ表示手段１０、決定入力検出手段１１、スクロール手段１２及びポインタ消去手段１３のそれぞれに対応するプログラムをＲＯＭに記憶しながら、各手段に対応する処理をＣＰＵに実行させる。
【００１７】
記憶部２は、操作入力装置Ｅ１が必要とする各種情報を記憶するための手段であり、例えば、ハードディスク、ＤＶＤ(Digital  Versatile  Disc.)等の記憶媒体であって、地図情報データベース２０（以下、「地図情報ＤＢ」とする。）を格納する。
【００１８】
操作部３は、制御部１に対して各種制御命令を入力するための入力装置であり、例えば、ジョイスティックや十字コントローラ等であって、画面上のポインタを移動させたり、ポインタで画面上の所定位置を選択したりするために使用される。なお、操作部３の状態（例えば、ジョイスティックレバーの傾斜方向及び傾斜角をいう。）とポインタの表示位置とは、一対一で対応するものとする。
【００１９】
表示部４は、各種情報を表示させるための表示装置であり、例えば、液晶ディスプレイや有機ＥＬ(Electro-Luminescence)ディスプレイ等であって、制御部１からの制御命令を受けて、記憶部２の地図情報ＤＢ２０に登録された地図画像や地図画像上を移動するポインタを表示する。
【００２０】
次に、制御部１が有する各種手段について説明する。
【００２１】
ポインタ表示手段１０は、ポインタを表示部４の表示画面に表示するための手段であり、例えば、操作部３の状態に応じて表示部４の表示画面に表示させたポインタを一表示画面内で移動させる。
【００２２】
ポインタ表示手段１０は、例えば、操作部３がジョイスティックの場合、ジョイスティックを前方に傾けるとポインタを画面上方に移動させ、ジョイスティックを後方に傾けるとポインタを画面下方に移動させる。ジョイスティックを左右に傾けた場合も同様に、ポインタを画面左右方向に移動させる。また、ポインタ表示手段１０は、ジョイスティックを大きく傾けた場合に、ポインタを高速で移動させ、ジョイスティックを小さく傾けた場合に、ポインタを低速で移動させるようにしてもよい。
【００２３】
さらに、ポインタ表示手段１０は、ジョイスティックが傾けられ表示画面における上下左右の何れかの端部までポインタを移動させた後、ジョイスティックが同じ方向に傾けられたままである場合、その方向に対応する未表示の地図画像が存在するときには、地図画像をスクロールさせその未表示の地図画像を表示させるようにしてもよい。
【００２４】
決定入力検出手段１１は、画面上の任意の位置が決定入力されたことを検出するための手段である。
【００２５】
「決定入力」とは、ポインタによって指示された位置が選択されたことを確認するための行為であり、例えば、ポインタ表示手段１０により操作部３の状態に応じて表示画面内を移動するポインタが表示される位置において確認ボタンを押下する行為がある。なお、決定入力は、表示画面上の一地点に所定時間以上ポインタを留め置く行為であってもよい。
【００２６】
決定入力検出手段１１は、例えば、操作部３の出力に基づいて操作部３にある確定ボタンが押下されたことを認識し、その時点において地図画像上に表示されたポインタが指示する位置が選択されたことを検出する。
【００２７】
スクロール手段１２は、画面をスクロールさせるための手段であり、例えば、決定入力検出手段１１により地図画像上の任意の位置が決定入力された場合に、その位置（以下、「決定位置」とする。）が表示画面の中心位置に来るように地図画像をスクロールさせる。
【００２８】
なお、スクロール手段１２は、決定位置が中心位置に来るよう地図画像を瞬時に切り替えるようにしてもよく、決定位置を徐々に中心位置まで移動させるよう緩やかにスクロールさせるようにしてもよい。
【００２９】
ポインタ消去手段１３は、ポインタ表示を消去するための手段であり、例えば、スクロール手段１２により決定位置が表示画面の中心位置に来るよう地図画像をスクロールさせている間、ポインタ表示が不可視となるようポインタ表示を一時的に消去する。
【００３０】
ポインタの表示位置とポインタにより決定入力された位置とを分離させてしまう表示による違和感を解消するためである。
【００３１】
次に、図４を参照しながら、ポインタが指定する位置を表示画面の中心位置にスクロールさせる場合にも操作者に違和感を与えることがないスクロール方法について説明する。なお、図４は、図２と同様に、図１の地図画像を簡略化させた表示とする。
【００３２】
図４（Ａ）は、図２（Ａ）と同様、ポインタＰが「港区役所」を指示し、現在地アイコンＶが「大門駅」付近に存在する状態を示し、図４（Ｂ）は、ポインタ消去手段１３によりポインタＰの表示を消去させた上で、「港区役所」の位置が画面の中心に来るよう地図画像を右下にスクロールさせている状態を示す。また、図４（Ｃ）は、地図画像のスクロールが完了し、「港区役所」の位置が画面の中心に来た状態を示す。
【００３３】
以上の構成により、操作入力装置Ｅ１は、地図画像をスクロールさせている間、ポインタＰを表示させないようにし、ポインタＰの表示位置とポインタＰが指定した位置（「港区役所」の位置）とが分離していくような表示を見せないようにして、操作者に違和感を与えないようにする。
【００３４】
なお、操作入力装置Ｅ１は、地図画像のスクロールを完了した時点で、ポインタＰを画面上に再表示させるようにする。次の操作入力を迅速に行わせるようにするためである。
【実施例２】
【００３５】
図５は、本発明に係る操作入力装置の別の構成例を示すブロック図であり、操作入力装置Ｅ２は、制御部１において、ポインタ消去手段１３の代わりにポインタ移動手段１４及び操作部駆動手段１５を備え、操作部３に駆動部３００を備える点において、図３の操作入力装置Ｅ１と相違する。なお、他の構成要素については、図３の操作入力装置Ｅ１と共通するため詳細な説明は省略する。
【００３６】
駆動部３００は、操作部３を中立状態に戻すための駆動装置であり、例えば、操作部３がジョイスティックの場合、電動モータの駆動力によりジョイスティックの前後左右への傾きを強制的に相殺させる。
【００３７】
図６は、操作部３の構成例を示す図であり、図６（Ａ）は、操作部３の上面視を示し、図６（Ｂ）は、操作部３のＸ−Ｘ断面図を示し、図６（Ｃ）は、操作部３の底面視を示す。
【００３８】
図６に示すように、操作部３は、ジョイスティックであり、決定入力スイッチ３０、レバー３１、スプリング３２、ボールジョイント３３、及び、駆動部３００から構成される。
【００３９】
決定入力スイッチ３０は、ポインタが指示する画面上の位置において決定入力を実行するための押しボタンスイッチであり、レバー３１は、操作者がジョイスティックを何れの方向にも傾けられるように握りやすい形状を備えた把持部材である。
【００４０】
スプリング３２は、決定入力スイッチ３０が押下された後、決定入力スイッチ３０を押下前の位置に押し戻すための反力を発生させるための部材である。
【００４１】
また、ボールジョイント３３は、操作者がレバー３１を何れの方向にも傾けられるようレバー３１と駆動部３００とを連結する部材である。
【００４２】
駆動部３００は、操作部３を中立状態に戻すための装置であり、モータ回転軸３０１、３０２、及び、エンコーダ３０３、３０４から構成される。操作部３の中立状態とは、操作者の力が操作部３に加わっていないときの状態をいい、例えば、レバー３１が何れの方向にも傾斜していない状態である。
【００４３】
モータ回転軸３０１、３０２は、ボールジョイント３３を回転させるための装置であり、例えば、ボールジョイント３３の球状表面とモータ回転軸３０１、３０２との間の摩擦力により回転力をボールジョイント３３に伝達する。
【００４４】
反対に、モータ回転軸３０１、３０２は、ボールジョイント３３の球状表面とモータ回転軸３０１、３０２との間の摩擦力を介し、操作部３に対して入力された操作者の力を受けて電力を消費することなく回転する。
【００４５】
モータ回転軸３０１、３０２の回転軸は、相互に直交しており、操作部３が何れの方向に傾斜している場合であっても、操作部３を中立状態に戻すことができる。
【００４６】
エンコーダ３０３、３０４は、操作部３の傾斜方向及び傾斜角を検出するための装置であり、例えば、モータ回転軸３０１、３０２の回転角度を検出するロータリエンコーダであって、直交する二つのモータ回転軸３０１、３０２における回転角度を測定することにより操作部３の傾斜方向及び傾斜角を検出する。
【００４７】
モータ回転軸３０１、３０２は、エンコーダ３０３、３０４が測定した各軸の回転角度をゼロに戻すことで、操作部３を中立状態に戻すようにする。
【００４８】
ポインタ移動手段１４は、ポインタ表示をスクロールに合わせて移動させるための手段であり、例えば、スクロール手段１２により決定位置が表示画面の中心位置に来るよう地図画像をスクロールさせている間、ポインタの表示位置とポインタにより決定入力された決定位置とを固定し、決定位置の移動に伴わせてポインタの表示位置を移動させる。
【００４９】
また、ポインタ移動手段１４は、スクロール手段１２による地図画像のスクロールが完了した時点で、ポインタの表示位置とポインタにより決定入力された決定位置との間の固定を解除し、操作部３の状態に応じてポインタを自由に移動させることができるようにする。
【００５０】
操作部駆動手段１５は、操作部３の傾きを自動的に変化させるための手段であり、例えば、スクロール手段１２が地図画像のスクロールを開始させた場合に、駆動部３００に制御信号を送信してモータ回転軸３０１、３０２を回転させ、操作部３を中立状態に戻すようにする。
【００５１】
なお、操作者は、操作部３から手を離すことで操作部３を中立状態に移行させることができるが、操作部駆動手段１５は、操作者が操作部３に力を加えている場合であっても、その力に反しながら操作部３を中立状態に移行させるようにする。
【００５２】
次に、図７を参照しながら、ポインタが指定する位置を表示画面の中心位置にスクロールさせる場合にも操作者に違和感を与えることがない別のスクロール方法について説明する。なお、図７は、図２及び図４と同様に、図１の地図画像を簡略化させた表示とする。
【００５３】
図７（Ａ）は、図２（Ａ）及び図４（Ａ）と同様、ポインタＰが「港区役所」を指示し、現在地アイコンＶが「大門駅」付近に存在する状態を示し、図７（Ｂ）は、ポインタ移動手段１４によりポインタＰが指定した位置（「港区役所」の位置）とポインタＰの表示位置とを固定しながら、「港区役所」の位置が画面の中心に来るよう地図画像を右下にスクロールさせている状態を示す。また、図７（Ｃ）は、地図画像のスクロールが完了し、「港区役所」の位置が画面の中心に移動した状態を示す。
【００５４】
この場合、操作部駆動手段１５は、ポインタＰの表示位置の移動に合わせて操作部３の傾きを低減させながら操作部３を中立状態に移行させる。なお、操作部駆動手段１５は、ポインタＰの表示位置の移動にペースを合わせることなく、ポインタＰの表示位置の移動が開始した時点で速やかに操作部３を中立状態に移行させるようにしてもよい。
【００５５】
以上の構成により、操作入力装置Ｅ２は、地図画像のスクロールに合わせてポインタＰをスクロールさせ、ポインタＰの表示位置とポインタＰが指定した位置（「港区役所」の位置）とが分離していくような表示を見せないようにして、操作者に違和感を与えないようにする。
【００５６】
また、操作入力装置Ｅ２は、ポインタＰが指定した位置（「港区役所」の位置）の画面中心への移動が完了した時点に操作部３が中立状態となっているようにするので、操作部３の状態とポインタＰの表示位置とが矛盾することにより操作者に違和感を抱かせてしまうようなことなく、操作者が後続の操作入力を迅速に開始できるようにする。
【００５７】
以上、本発明の好ましい実施例について詳説したが、本発明は、上述した実施例に制限されることはなく、本発明の範囲を逸脱することなしに上述した実施例に種々の変形及び置換を加えることができる。
【００５８】
例えば、上述の実施例では、一定点を中心とした回転運動に基づくレバー３１の傾きをポインタＰの移動操作に利用するジョイスティックについて説明するが、十字キーを採用するようにしてもよく、或いは、他の方式に基づく操作部を採用するようにしてもよい。
【００５９】
図８は、操作部３の別の構成例を示す図であり、デジタイザのようにつまみＫによるＸＹ座標の入力が可能な操作部を示す。
【００６０】
このように、操作入力装置は、一定点を中心とした平行運動に基づくつまみＫの変位をポインタＰの移動操作に利用するようにしてもよい。
【図面の簡単な説明】
【００６１】
【図１】ナビゲーション装置が表示する画面の一例を示す図である。
【図２】ナビゲーション装置が操作者に違和感を与えてしまうスクロール方法を説明するための図である。
【図３】操作入力装置の構成例を示すブロック図（その１）である。
【図４】操作者に違和感を与えることがないスクロール方法を説明するための図（その１）である。
【図５】操作入力装置の構成例を示すブロック図（その２）である。
【図６】操作部の構成例を示す図（その１）である。
【図７】操作者に違和感を与えることがないスクロール方法を説明するための図（その２）である。
【図８】操作部の構成例を示す図（その２）である。
【符号の説明】
【００６２】
１      制御部
２      記憶部
３      操作部
４      表示部
１０    ポインタ表示手段
１１    決定入力検出手段
１２    スクロール手段
１３    ポインタ消去手段
１４    ポインタ移動手段
１５    操作部駆動手段
２０    地図情報データベース
３０    決定入力スイッチ
３１    レバー
３２    スプリング
３３    ボールジョイント
３００  駆動部
３０１、３０２  モータ回転軸
３０３、３０４  エンコーダ
Ｅ１、Ｅ２  操作入力装置
Ｋ      つまみ
【図１】
2008217470.tif 000003
【図２】
2008217470.tif 000004
【図３】
2008217470.tif 000005
【図４】
2008217470.tif 000006
【図５】
2008217470.tif 000007
【図６】
2008217470.tif 000008
【図７】
2008217470.tif 000009
【図８】
2008217470.tif 000010